(57)【特許請求の範囲】
【請求項１】
パイプよりなる左右の基杆に、パイプよりなる左右の上部杆の上部間に手掛け部を設けてある上部フレームの前記左右上部杆が基杆へ摺動自在に嵌入された背フレームを備え、この背フレームの下端に左右一対の車輪を備えるとともに、背フレームの下部前面側に荷台を備え、かつ前記基杆の長手方向に沿って移動できるスライド杆を備え、前記スライド扞は前記基杆の任意の位置に固定可能なロック機構を備え、下部にキャスターを備える補助フレームの上端部を左右方向の水平軸まわりに回動可能に取り付け、この補助フレームの下部と前記背フレームの下部との間を、それぞれ上下の端部が左右方向の水平軸まわりに回動できるリンクアームで連結し、前記スライド杆のロックを解除して、前記スライド扞を基杆に沿って押し下げると前記キャスターが降下させられ、また、前記スライド杆を基杆に沿って引き上げると前記キャスターが上昇させられるよう構成して、カート使用時における荷台に載せた荷物の荷重が前記補助フレームと前記リンクアームの機構により前記車輪とキャスターによって支持され、かつ、前記補助フレームは前記スライド杆を上下に移動させることによってキャスターと背フレームの距離が調節されて背フレームの傾斜角度を任意に設定することができることを特徴とするキャリーカート。
【請求項２】
前記スライド杆のロック機構は、ロック解除用のグリップ体を備え、通常はスライド杆が移動しないようにロックがかかっているが、前記グリップ体を握るとロックが解除されてスライド杆が上下に移動可能となり、また前記グリップ体を放すことによりロックがかかるように構成した請求項１に記載のキャリーカート。
【発明の詳細な説明】
【０００１】
【発明の属する技術分野】
本発明は旅行鞄等の荷物を運搬するための手引き式のキャリーカートに関する。
【０００２】
【従来技術とその問題点】
旅行鞄は重いので、手引き式のキャリーカートで運ぶのが一般的であり、従来のカートは図１１のように下部に荷台３０を備える背フレーム３１の下端に左右一対の車輪３２、３２を備える構造のものである。
【０００３】
従来のカートでは荷台３０に鞄３３を載せると、鞄の重心Ｇがカートの車輪３２の中心から縦に立ち上がる鉛直面ＶＰよりも後方に位置するので、背フレーム３１の上端手掛け部３４には下向きの回転モーメントＦが作用する。
【０００４】
したがって、使用者は手掛け部３４を常に引き上げながらカートを引かねばならず、不安定であるとともに手が疲れるという問題点がある。
【０００５】
【本発明の目的】
本発明は使用者が手掛け部を引き上げる必要がなく、したがって疲れることが少なく、安定よろしく鞄等の荷物を運べるカートを提供できるようにした。
【０００６】
上記目的を達成するために、本発明に係るキャリーカートは、パイプよりなる左右の基杆に、パイプよりなる左右の上部杆の上部間に手掛け部を設けてある上部フレームの前記左右上部杆が基杆へ摺動自在に嵌入された背フレームを備え、この背フレームの下端に左右一対の車輪を備えるとともに、背フレームの下部前面側に荷台を備え、かつ前記基杆の長手方向に沿って移動できるスライド杆を備え、前記スライド扞は前記基杆の任意の位置に固定可能なロック機構を備え、下部にキャスターを備える補助フレームの上端部を左右方向の水平軸まわりに回動可能に取り付け、この補助フレームの下部と前記背フレームの下部との間を、それぞれ上下の端部が左右方向の水平軸まわりに回動できるリンクアームで連結し、前記スライド杆のロック機構を解除して、前記スライド扞を基杆に沿って押し下げると前記キャスターが降下させられ、また、前記スライド杆を基杆に沿って引き上げると前記キャスターが上昇させられるよう構成して、カート使用時における荷台に載せた荷物の荷重が前記補助フレームと前記リンクアームの機構により前記車輪とキャスターによって支持され、かつ、前記補助フレームは前記スライド杆を上下に移動させることによってキャスターと背フレームの距離が調節されて背フレームの傾斜角度を任意に設定することができることを特徴としている。
【０００７】
また、前記スライド杆のロック機構は、ロック解除用のグリップ体を備え、通常はスライド杆が移動しないようにロックがかかっているが、前記グリップ体を握るとロックが解除されてスライド杆が上下に移動可能となり、また前記グリップ体を放すことによりロックがかかるように構成したものとしてある。
【０００８】
【実施例】
以下、本発明に係るキャリーカートの実施例を添付図面に示す具体例に基づいて詳細に説明する。
図１、２において符号１は矩形状の枠体で構成してある荷台、２は凹状の杆体で構成した脚体で、左右杆２ａ、２ａの基部を荷台の左右杆１ａ、１ａに水平軸まわりに回転できるよう取り付けてある。
【０００９】
３は背フレームで、パイプよりなる左右の基杆３ａ、３ａ間に連結杆３ｂを備え、パイプよりなる左右の上部杆５ａ、５ａの上部間に手掛け部４を設けてある上部フレーム５の左右上部杆５ａ、５ａを基杆３ａ、３ａへ摺動自在に嵌入してある。
【００１０】
前記左右の上部杆５ａ、５ａは基杆３ａ、３ａから抜け落ちないように抜け止めしてあり、また上部杆５ａ、５ａは基杆からの突出長さを適宜の調節機構により所要に調節できるようにしてあって、例えば上部フレームの横杆５ｂを手掛け部４とともに握ると上部フレームを摺動させて突出長さを調節することができ、横杆５ｂを離すと上部フレームの突出長さが固定される構成としてあり、この調節機構には従来から各種の構成のものがあるので説明は省略する。
【００１１】
前記基杆３ａ、３ａの下端寄り前面側に前記荷台１の基部を水平軸まわりに回動できるように取り付けてあり、また、前記基杆３ａ、３ａの下端寄り背面側には両端に左右一対の車輪６、６を備える車軸６ａを回動可能に設けてある。
【００１２】
しかして、本発明に係るカートは背フレーム３の背面側に杆体で凹状に構成した補助フレーム７を備え、この補助フレーム７の下端に左右一対のキャスター８、８を設けてある。
【００１３】
前記補助フレーム７は、左右杆７ａ、７ａの上端を背フレームの基杆３ａ、３ａへこれら基杆に沿って摺動可能に設けたスライド杆９の背面側に水平軸まわりに回転できるように取り付けてあり、また、補助フレームの下杆７ｂの中央部に、この下杆まわりに回動できるよう後端部を取り付けたリンクアーム１０の前端部を前記車軸６ａへこの車軸まわりに回動できるよう取り付けてある。
【００１４】
前記スライド杆９は前記基杆３ａ、３ａが挿通されたガイドポスト１１、１１を左右に備えていて基杆に沿って上下方向に摺動できるが、スライド杆の内部にはロック機構を備えており、このロック機構によってスライド杆を基杆３ａ、３ａに対する所要の上下位置に固定できるようになっている。
【００１５】
具体的には、例えば図３、４に示すように前記基杆３ａ、３ａの対向する面の所要の位置にそれぞれ係合孔１２、１２（本実施例では上下２か所）をあけてあり、スライド杆９には、前記ガイドポスト内に突出して係合孔に適宜嵌入させられる係合ピン１３、１３を設けてある。
【００１６】
これら係合ピン１３、１３は、図４(a) のように係合孔１２、１２に係合させられている状態では、圧縮ばね１４、１４によって下方へ付勢されているグリップ体１５の左右の傾斜面１５ａ、１５ａによって外側へ押し出されていて、スライド杆９が移動しないようにロックしているが、スライド杆を手で握ることにより、同図４(b) のように前記圧縮ばね１４の弾発力に抗してグリップ体１５を上方へ押し上げると、グリップ体の前記左右の傾斜面１５ａ、１５ａが上方へ移動して係合ピン１３、１３は圧縮ばねよりなる戻しばね１６、１６の弾性復元力によってスライド杆９のケーシング９ａ内に引き込まれ、係合孔１２、１２から外れ、したがってスライド杆のロックは解除されてスライド杆が上下に移動可能となる。
【００１７】
上述のように構成した本発明のカートは、図５に示すように鞄１７を荷台１と背フレーム３の間に載せ、例えばゴム紐よりなる伸縮式の荷止めバンド１８で鞄を固定して使用する。
【００１８】
この使用状態においては、鞄の重心Ｇが車輪６、６とキャスター８、８間の上方に位置するので、手掛け部４に回転モーメントは作用せず、したがって使用者はカートを引く際に手掛け部４を持ち上げる必要はなく、安定してカートを引くことができ、しかも使用者が手を離してもカートは倒れない。
【００１９】
また、床面１９に対する背フレーム３の角度はスライド杆９を上下に移動させることによって適宜変えることができ、具体的にはスライド杆９を上方に位置させればキャスター８、８と背フレームの距離が縮められて背フレームの傾きが大、すなわち手掛け部４の高さを低く設定することができ、逆にスライド杆９を下方に移動させればキャスター８、８と背フレーム３の距離が大となって背フレームの傾きが小、すなわち手掛け部４の高さを高く設定することができ、したがって使用者の背の高さ等の条件に合わせて使い易いように手掛け部の高さを適宜調節することができる。
【００２０】
また、背フレームを垂直にして脚体２と車輪６、６にてカートを直立させることもでき、この場合には、図６に示すように背フレーム３の下端も床面１９に接し、より安定してカートを直立させることができるように構成してある。
【００２１】
前記補助フレーム７は、キャスター８、８を使用しない場合には、スライド杆９を最上方に移動させることにより、図７に示すように折り畳んでおくことができ、この場合にはスライド杆の係合ピンを上部の係合孔１２に係合させて補助フレームをロックしておく。
【００２２】
また、本発明のカートは不使用時にコンパクトに折り畳んでおくことができ、カートを折り畳む際には、まず図８に示すように上部フレーム５の上部杆５ａ、５ａを背フレーム３の基杆３ａ、３ａ内に収容して手掛け部４を下げ、上述のように補助フレーム７を折り畳む。
【００２３】
そして図９のように荷台１を上方へ回動させて背フレーム側に畳み、さらに図１０のように脚体２を下方へ回動させて折り畳む。
【００２４】
上述した実施例においては、スライド杆９をロックするための基杆３ａ、３ａの係合孔１２、１２を各基杆の上下２か所にあけてあるが、所要の間隔で多数の係合孔をあける場合もある。
【００２５】
また、スライド杆９のロック機構をスライド杆の係合ピン１３、１３と基杆３ａ、３ａの係合孔１２、１２とを係合させる構造のものとしてあるが、スライド杆を所要の位置に固定させることのできる構成であれば、係合ピンや係合孔を設けない場合もある。
【００２６】
さらに、上述した実施例のカートでは荷台１や脚体２を折り畳み可能な構成としてあるが、これらを折り畳みのできない固定された構成とする場合もある。
【００２７】
【本発明の効果】
本発明に係るカートは、背フレームの背面側に設けた折り畳み可能な補助フレームにキャスターを備えているので、カートの使用時において荷台に載せた荷物の荷重が車輪とキャスターによって支持され、手掛け部には荷物の荷重が掛からない。
【００２８】
したがって、従来のキャリーカートのように使用者が常に手掛け部を持ち上げながらカートを引かなければならないといった問題が解消され、荷物を安定して運ぶことができ、しかも使用者の手が疲れにくいというメリットがある。
【００２９】
また、前記キャスターを備える補助フレームはスライド杆を上下に移動させることによってキャスターと背フレーム間の距離が調節されて背フレームの傾斜角度を任意に設定することができ、手掛け杆の高さを使用者の背の高さ等に対して使い易い位置に合わせることができる。
【００３０】
さらに、補助フレームはキャスターを使用せずにカートを使用する場合や、カートを保管する場合などにはガイド杆を上方へ移動させることによって簡単に折り畳むことができる。
【図面の簡単な説明】
【図１】本発明に係るカートの実施例を示す斜視図。
【図２】本発明に係るカートの要部を拡大して示す側面図。
【図３】スライド杆の底面図。
【図４】スライド杆の、(a) はロック状態、(b) はロック解除状態をそれぞれ示す縦断正面図。
【図５】本発明に係るカートの使用状態を示す側面図。
【図６】本発明に係るカートの他の使用状態を示す側面図。
【図７】本発明に係るカートの手掛け部を下げた状態を示す側面図。
【図８】本発明に係るカートの補助フレームを畳んだ状態を示す斜視図。
【図９】本発明に係るカートの荷台を畳んだ状態を示す側面図。
【図１０】本発明に係るカートの脚体を畳んだ状態を示す側面図。
【図１１】従来のカートの一例を示す側面図。
【符号の説明】
１  荷台                      ２  脚体
３  背フレーム                ４  手掛け部
５  上部フレーム              ６  車輪
７  補助フレーム              ８  キャスター
９  スライド杆              １０  リンクアーム
１１  ガイドポスト            １２  係合孔
１３  係合ピン                １４  圧縮ばね
１５  グリップ体              １６  戻しばね
１７  鞄                      １８  荷止めバンド
１９  床面
【図１】
0004499255.tif 000002
【図２】
0004499255.tif 000003
【図３】
0004499255.tif 000004
【図４】
0004499255.tif 000005
【図５】
0004499255.tif 000006
【図６】
0004499255.tif 000007
【図７】
0004499255.tif 000008
【図８】
0004499255.tif 000009
【図９】
0004499255.tif 000010
【図１０】
0004499255.tif 000011
【図１１】
0004499255.tif 000012